(57)【要約】【課題】決済処理部が故障した場合でも情報出力部の出力処理を行うことができるとともに、決済制御部の動作に基づいて高度な出力処理が必要となる複数種類の出力情報を出力することが可能な電子マネー用リーダライタを提供する。【解決手段】決済制御部１６０から受信した各コマンドに基づいて出力情報１３２を情報出力部１４０から出力するように制御する出力制御部１７０を備えたので、出力制御部１７０のみによって情報出力部１４０の出力処理を行うことが可能となる。また、出力制御部１７０には決済処理の負荷がかからないので、動画や音楽等の情報を出力することができる。従って、決済処理部１７０が故障した場合でも情報出力部１４０から故障情報等を出力することができ、更には決済処理と同時に動画や音楽等の情報を電子マネー利用者に提供することで、電子マネーを用いた決済処理の利便性が向上し、電子マネー利用者の購買意欲が向上する。【選択図】図１
2006318029.tif 000002
【特許請求の範囲】
【請求項１】
電子マネーサービスで用いられる電子マネーが記憶されたＩＣチップに対して決済端末から受信した取引金額に基づいて電子マネーの決済処理を行う決済制御部と、決済制御部の決済処理に応じた所定の出力情報を出力する情報出力部とを備えた電子マネー用リーダライタにおいて、
前記決済制御部の動作に基づいて出力情報を出力するように情報出力部を制御する出力制御部を備えた
ことを特徴とする電子マネー用リーダライタ。
【請求項２】
複数種類の出力情報を記憶する記憶部を備えた
ことを特徴とする請求項１記載の電子マネー用リーダライタ。
【請求項３】
前記出力制御部を、決済制御部が正常に動作していないことを検知した場合には、所定の出力情報を情報出力部から出力するように構成した
ことを特徴とする請求項１または２記載の電子マネー用リーダライタ。
【請求項４】
ネットワーク接続用の通信装置を備え、
前記出力制御部を、所定の管理サーバに通信装置を介して所定の出力情報を送信するように構成した
ことを特徴とする請求項３記載の電子マネー用リーダライタ。
【請求項５】
前記情報出力部を複数色の発光が可能な発光部で構成するとともに、
前記出力制御部を、決済制御部の動作に基づいて発光部から出力される光の色を制御するように構成した
ことを特徴とする請求項１乃至４何れか１項記載の電子マネー用リーダライタ。
【請求項６】
前記情報出力部を外部から目視可能な情報を表示する表示部で構成するとともに、
前記出力制御部を、決済制御部の動作に基づいて表示部から所定の情報を出力するように構成した
ことを特徴とする請求項１乃至５何れか１項記載の電子マネー用リーダライタ。
【請求項７】
前記情報出力部を音声情報を出力する音声出力部で構成するとともに、
前記出力制御部を、決済制御部の動作に基づいて音声出力部から所定の音声情報を出力するように構成した
ことを特徴とする請求項１乃至６何れか１項記載の電子マネー用リーダライタ。
【請求項８】
振動を検知する振動センサを備え、
前記出力制御部を、振動センサによって所定の大きさ以上の振動が検知されると所定の出力情報を情報出力部から出力するように構成した
ことを特徴とする請求項１乃至７何れか１項記載の電子マネー用リーダライタ。
【請求項９】
ネットワーク接続用の通信装置を備え、
前記出力制御部を、所定の管理サーバから通信装置を介して複数種類の出力情報を受信するとともに、情報出力部から出力情報を出力するように構成した
ことを特徴とする請求項１乃至８何れか１項記載の電子マネー用リーダライタ。
【発明の詳細な説明】
【技術分野】
【０００１】
本発明は、例えばコンビニエンスストア等でＩＣチップに記憶された電子マネーを用いて商品を購入する場合に、電子マネーに対して決済処理を行うとともに、決済処理に応じた情報を出力する電子マネー用リーダライタに関するものである。
【背景技術】
【０００２】
従来、この種の電子マネー用リーダライタとして、電子マネーサービスで用いられる電子マネーが記憶されたＩＣチップに対してＰＯＳ（Ｐｏｉｎｔ  Ｏｆ  Ｓａｌｅｓ）用端末等の決済端末から受信した取引金額に基づいて電子マネーの決済処理を行う決済制御部と、出力情報を表示する表示部とを備え、決済制御部が決済処理に応じた出力情報を表示部から出力するように制御するものが知られている（特許文献１参照）。
【特許文献１】特開２００１−２５６５６７号公報
【発明の開示】
【発明が解決しようとする課題】
【０００３】
しかしながら、前記従来例では、決済制御部が決済処理に応じた出力情報を表示部から出力するように制御しているので、決済制御部に故障が発生した場合には表示部を制御することができず、表示部に何も表示されなくなるという問題がある。さらに、文字や画像情報のみを出力して電子マネーを用いた決済を行う場合には、例えば電子マネーの利用者がＩＣカードをどの位置に配置するかわからない等の理由により、決済処理が完了するまでに多くの時間が必要となる。従って、決済処理を円滑に行うことができないという問題がある。
【０００４】
なお、情報出力部としては表示部の他にも発光ダイオードのように所定の色の光を発する発光部や、スピーカのように音声を発する音声出力部等が知られている。そして、これらを用いることで電子マネーの利用者が容易に決済処理の手順を理解することも考えられる。この場合、決済制御部は、セキュリティを確保した状態で電子マネーを用いた決済処理を行うために、決済端末及びＩＣチップとの間で認証を行う。ここで、決済端末及びＩＣチップとの間の認証は公開鍵暗号方式等を用いて行われるので、暗号演算によって決済制御部の負荷が増加する。このとき、動画や音楽等の高度な出力処理を必要とする情報を出力する場合には、決済処理及び動画表示の負荷が決済制御部にかかるため、決済処理及び動画表示に多くの時間が必要になる。このため、円滑に決済処理を行うには、表示部、発光部及び音声出力部から出力される出力情報を簡素な構成にして、決済制御部にかかる出力処理の負荷を抑える必要がある。
【０００５】
しかしながら、出力情報を簡素な構成にした場合には、表示部、発光部及び音声出力部から出力される情報が単調なものとなり、結果として電子マネーの利用者が決済処理の手順等を理解するのに多くの時間が必要となる。従って、電子マネーを用いた決済処理を円滑に行うことができないという問題がある。
【０００６】
本発明は前記問題点に鑑みてなされたものであり、その目的とするところは、例えば決済処理部が故障した場合でも情報出力部の出力処理を行うことができるとともに、決済制御部の動作に基づいて高度な出力処理が必要となる複数種類の出力情報を出力することが可能な電子マネー用リーダライタを提供することにある。
【課題を解決するための手段】
【０００７】
本発明は、前記目的を達成するために、電子マネーサービスで用いられる電子マネーが記憶されたＩＣチップに対して決済端末から受信した取引金額に基づいて電子マネーの決済処理を行う決済制御部と、決済制御部の決済処理に応じた所定の出力情報を出力する情報出力部とを備えた電子マネー用リーダライタにおいて、前記決済制御部の動作に基づいて出力情報を出力するように情報出力部を制御する出力制御部を備えている。
【０００８】
本発明の電子マネー用リーダライタによれば、出力制御部が決済制御部の動作に基づいて出力情報を情報出力部から出力するように制御するので、出力制御部のみによって情報出力部の出力処理を行うことが可能となる。また、出力制御部には決済処理の負荷がかからないので、動画や音楽等の高度な出力処理が必要となる複数種類の情報を出力することができる。
【発明の効果】
【０００９】
本発明によれば、出力制御部によって情報出力部を制御することができるので、例えば決済処理部が故障した場合でも、情報出力部の出力処理を行うことができ、情報出力部によって故障情報等を出力することができる。さらに、決済制御部の動作に基づいて高度な出力処理が必要となる複数種の情報を情報出力部から出力することができるので、電子マネーを用いた決済処理の利便性が向上する。また、決済処理と同時に動画や音楽等の情報を電子マネーの利用者に提供することで、電子マネーの利用者の購買意欲を向上させることができる。
【発明を実施するための最良の形態】
【００１０】
（第１の実施形態）
以下、本発明の第１の実施の形態について、図面を用いて説明する。図１は電子マネー端末の機能ブロック図、図２はＩＣカードのメモリ空間を説明する図である。
【００１１】
このリーダライタ１００は、電子マネーを記憶するＩＣチップが埋設されたＩＣカード１０に対して電子マネーのバリュー等を読み書きする電子マネー用リーダライタであり、図１に示すように、ＰＯＳ用端末等の決済端末２００に接続されており、決済端末２００から送られてきた取引金額に基づいて決済処理を行う。また、リーダライタ１００はネットワーク３００を介して、電子マネーサービスの事業者に管理されている管理サーバ３１０と通信可能となっている。
【００１２】
ＩＣカード１０には、非接触でデータの読み書きが可能なＩＣチップが埋設されている。このＩＣチップのメモリ空間は、図２に示すように、複数の記憶領域に区画されている。本実施の形態では、ＩＣカード１０を使用する複数のサービスから共通に利用可能な共通領域１１と、電子マネーサービスの記憶用領域１２とに区画されている。共通領域１１には、カード毎に付与された各カード固有のカードＩＤが記憶されている。領域１２には、電子マネーサービス毎に付与された各サービス固有のサービスＩＤと、各電子マネーサービスにおいて利用者を識別するための利用者ＩＤと、電子マネーバリュー（電子マネー残額）とが記憶されている。なお、本実施の形態において、電子マネーとは、少なくともサービスＩＤ、利用者ＩＤ、及び電子マネーバリューを包括した情報を意味するものとする。
【００１３】
リーダライタ１００は、図３に示すように、上面中央にＩＣカード１０を配置するための接触部１０１が設けられており、その下方には、ＩＣカード１０が下方に滑り落ちるのを防止するための係止部１０２が設けられている。また、リーダライタ１００は、ＩＣカード１０との通信用の高周波（ＲＦ）回路部１１０と、アンテナ１２０と、各種情報を記憶する記憶部１３０と、各情報を出力する情報出力部１４０と、ルータやモデム等ネットワーク接続用の通信装置１５０と、決済処理を行う決済制御部１６０と、情報出力部１４０を制御する出力制御部１７０とを備えている。
【００１４】
ＲＦ回路部１１０は、ＡＤ／ＤＡ変換器等からなり、後述の決済制御部１６０から受信したデジタル信号をアナログ信号に変換してアンテナ１２０に出力するとともに、アンテナ１２０から受信したアナログ信号をデジタル信号に変換して決済制御部１６０に送信する。
【００１５】
アンテナ１２０は、接触部１０１の裏面に設けられており、ＲＦ回路部１１０から出力されたアナログ電波信号を接触部１０１に配置されたＩＣカード１０に送信し、ＩＣカード１０から受信したアナログ電波信号をＲＦ回路部１１０に出力する。
【００１６】
記憶部１３０はＥＥＰＲＯＭ等の書き換え可能な記憶素子であり、図４に示すように、電子マネーサービスを利用した利用者の利用者ＩＤ、利用金額及び取引日付等から構成された電子マネー利用履歴１３１と、情報出力部１４０から出力する出力情報１３２と、決済制御部１６０に故障が発生したときの時間等から構成されたエラー情報１３３とを記憶している。また、記憶部１３０には、ＩＣカード１０のＩＣチップに記憶された電子マネーと取引金額の加算又は減算を行う決済処理プログラム（図示せず）が記憶されている。
【００１７】
情報出力部１４０は、複数の発光部１４１と、表示部１４２と、音声出力部１４３とから構成されている。各発光部１４１は赤色、緑色及び青色の３色の発光ダイオード（ＬＥＤ）からなり、接触部１０１の裏面の四隅にそれぞれ設けられている。各発光部１４１は、各色のＬＥＤにそれぞれ流れる電流が後述の出力制御部１７０によって制御されることにより、各ＬＥＤからの出力光が合成されてなる光の色を複数表すことが可能である。また、出力制御部１７０によって各色のＬＥＤにそれぞれ流れる電流が同期して断続されることにより、発光部１４１から出力された光が点滅する。
【００１８】
また、表示部１４２には液晶ディスプレイ（ＬＣＤ）や蛍光表示管（ＶＦＤ）等の表示機器が用いられており、図５に示すように記憶部１３０に記憶された文字情報と、決済端末２００からリーダライタ１００に送られた取引金額とが表示される。なお、表示部１４２に表示される情報としては、静止画像や動画像等であってもよい。また、音声出力部１４３にはスピーカ等の機器が用いられており、記憶部１３０に記憶された音声情報が出力される。
【００１９】
決済制御部１６０はＣＰＵ等を備え、決済装置２００から受信した取引金額に基づいてＲＦ回路部１１０及びアンテナ１２０を介してＩＣカード１０と決済処理を行う。ここで、決済処理は、記憶部１３０に記憶された電子マネーサービスの決済処理プログラムが実行されることにより行われる。また、決済制御部１６０は、決済処理の状況に応じて出力制御部１７０に制御信号（コマンド）を送信する。なお、決済制御部１６０に係る動作については後に詳説する。また、決済制御部１６０は、決済処理が正常に終了した場合に、電子マネーサービスに係る電子マネー利用履歴１３１を記憶部１３０に記憶し、任意時に電子マネー利用履歴１３１を通信装置１５０を介して電子マネーサービスの管理サーバ３１０に送信する。
【００２０】
出力制御部１７０はＣＰＵ等を備え、決済制御部１６０から受信したコマンドに基づいて各発光部１４１、表示部１４２及び音声出力部１４３を制御する。また、出力制御部１７０は、任意時に決済処理部１６０に故障が発生しているか否かを検出し、故障が発生していることを検知した場合には、各発光部１４１、表示部１４２及び音声出力部１４３を制御して決済処理部１６０に故障が発生していることを外部に通知する。なお、出力制御部１７０の動作については後に詳説する。
【００２１】
次に、リーダライタ１００の決済処理に係る動作について図６のシーケンス図を参照して説明する。図６に示すように、まず、決済端末２００は決済制御部１６０との間で双方に記憶された認証鍵（図示せず）を用いて認証処理を行う（ステップＳ１）。決済端末２００は、決済制御部１６０との認証処理が正常に終了した後に、取引金額を決済制御部１６０に送信する（ステップＳ２）。
【００２２】
決済制御部１６０は、決済端末２００から受信した取引金額とともに受付処理コマンドを出力制御部１７０に送信するとともに（ステップＳ３）、ＩＣカード１０が検出されたか否かを検知するためにポーリング処理を開始して、アンテナ１２０からアナログ電波信号を放出させる（ステップＳ４）。出力制御部１７０は、受付処理コマンドに基づいて記憶部１３０に記憶された出力情報１３２から情報出力部１４０に出力させる情報を抽出して、抽出した情報を情報出力部１４０から出力する（ステップＳ５）。例えば、図５に示した出力情報１３２のうち、発光部１４１から発光ＩＤ００１の内容が、表示部１４２から表示ＩＤ００１の内容とともに取引金額が出力される。
【００２３】
次いで、電子マネーの利用者がＩＣカード１０を接触部１０１に配置すると（ステップＳ６）、決済制御部１６０はＩＣカード１０に記憶された電子マネーを検出する（ステップＳ７）。ここで、決済制御部１６０は、ＩＣカード１０に記憶されているサービスのサービスＩＤが記憶部１３０に記憶された決済処理プログラムのサービスＩＤと同一であるか否かを判定することにより電子マネーの検出を行う。そして、決済制御部１６０は、結果出力コマンドを出力制御部１７０に送信する（ステップＳ８）。例えば、前記ステップＳ７においてＩＣカード１０から電子マネーを検出できなかった場合には、決済制御部１６０は電子マネーを検出できなかったことを表すパラメータ（例えば“１”）を結果出力コマンドに含めて出力制御部１７０に送信した後に、決済処理を中止してもよい。また、決済制御部１６０は、ＩＣカード１０から電子マネーを検出した場合には、ステップＳ８の処理を行わずに後述のステップＳ１０の処理を行ってもよい。
【００２４】
次に、出力制御部１７０は、受信した結果出力コマンドに含まれたパラメータに基づいて情報出力部１４０から出力情報１３２を出力する（ステップＳ９）。例えば、結果出力コマンドに含まれたパラメータが“１”であった場合には、出力制御部１７０は、発光部１４１から発光ＩＤ００３の内容を、表示部１４２から表示ＩＤ００３の内容を、音声出力部１４３から音声ＩＤ００２の内容を出力する。
【００２５】
次いで、決済制御部１６０は、ＩＣカード１０との間で認証処理を行った後に（ステップＳ１０）、決済処理を行う（ステップＳ１１）。具体的には、ＲＦ回路部１１０及びアンテナ１２０を介して、ＩＣカード１０に記憶された電子マネーから利用者ＩＤを読み出すとともに、取引金額だけ電子マネーバリューを加算又は減算する。そして、決済制御部１６０は、決済処理の結果を出力制御部１７０から出力するために終了処理コマンドを出力制御部１７０に送信する（ステップＳ１２）。例えば、決済制御部１６０は、決済処理が正常終了した場合には、終了処理コマンドに正常終了したことを示すパラメータ（例えば“０”）を含めて出力制御部１７０に送信する。また、決済処理がＩＣカード１０の電子マネーバリュー不足等により異常終了した場合には、終了処理コマンドに異常終了したことを示すパラメータ（例えば“１”）を含めて出力制御部１７０に送信する。次に、決済制御部１７０は、ＩＣカード１０から読み出した利用者ＩＤとともに利用金額をサービス利用履歴１３１に記憶する（ステップＳ１３）。
【００２６】
次いで、出力制御部１７０は、決済制御部１６０から受信した終了処理コマンドに基づいて終了処理を行う（ステップＳ１４）。具体的には、出力制御部１７０は、受信した終了処理コマンドに含まれたパラメータが“０”であった場合には、発光部１４１から発光ＩＤ００２の内容を、表示部１４２から表示ＩＤ００２の内容を、音声出力部１４３から音声ＩＤ００１の内容を出力する。また、パラメータが“１”であった場合には、発光部１４１から発光ＩＤ００３の内容を、表示部１４２から表示ＩＤ００４を、音声出力部１４３から音声ＩＤ００２の内容を出力する。最後に、決済制御部１６０は、決済端末２００に取引結果を送信する（ステップＳ１５）。
【００２７】
次に、出力制御部１７０が決済制御部１６０の故障を検知する場合の動作について図７のシーケンス図を参照して説明する。図７に示すように、出力制御部１７０は、決済制御部１６０に対して定期的（例えば１分毎）にダミーコマンドを送信することにより故障検知を行う。例えば図７（ａ）に示すように、決済制御部１６０が正常に動作している場合には、決済制御部１６０は出力制御部１７０からダミーコマンドを受信すると（ステップＳ２１）、出力制御部１７０に対して応答する（ステップＳ２２）。なお、応答する内容はダミーコマンドと同一であってもよいし、１バイトの長さのメッセージであってもよい。また、故障等により決済制御部１６０の動作が停止した場合には、図７（ｂ）に示すように、出力制御部１７０が所定の間隔（例えば５秒毎）をおいて複数回ダミーコマンドを決済制御部１６０に送信しても（ステップＳ３１〜Ｓ３３）、決済制御部１６０からの応答は無い。このとき、出力制御部１７０は、決済制御部１６０に故障が発生したと検知して、情報出力部１４０から故障が発生したことを表す出力情報１３２を出力する（ステップＳ３４）。例えば、出力制御部１７０は、発光部１４１から発光ＩＤ００４の内容を、表示部１４２から表示ＩＤ００５を、音声出力部１４３から音声ＩＤ００３の内容を出力する。そして、出力制御部１７０は、記憶部１３０のエラー情報１３３に故障を検知したときの時間を記録する。
【００２８】
このように、本実施形態のリーダライタ１００によれば、決済制御部１６０から受信した各コマンドに基づいて出力情報１３２を情報出力部１４０から出力するように制御する出力制御部１７０を備えたので、出力制御部１７０のみによって情報出力部１４０の出力処理を行うことが可能となる。また、出力制御部１７０には決済処理の負荷がかからないので、動画や音楽等の情報を出力することができる。従って、決済処理部１７０が故障した場合でも情報出力部１４０から故障情報等を出力することができ、更には決済処理と同時に動画や音楽等の情報を電子マネー利用者に提供することで、電子マネーを用いた決済処理の利便性が向上し、電子マネー利用者の購買意欲が向上する。
【００２９】
さらに、複数種類の出力情報１３２を記憶する記憶部１３０を備えたので、出力制御部１７０は、記憶部１３０に記憶した出力情報１３２を出力することができる。従って、決済処理を行っていない場合には、キャンペーン情報や商品のＣＭ情報を出力し続けることにより電子マネーの利用者の購買意欲を向上させることができる。
【００３０】
さらに、出力制御部１７０を、送出した複数回のダミーコマンドに対して決済制御部１６０が応答していないことを検知した場合には、故障が発生したことを表す出力情報１３２を情報出力部１４０の発光部１４１、表示部１４２、及び音声出力部１４３から出力するように構成したので、決済制御部１６０に故障が発生したことを光や文字（又は画像）や音声で確認することができる。従って、故障の発生を早期に知ることができるので、故障した箇所の発見に要する時間を短縮することができる。
【００３１】
さらに、情報出力部１４０を複数色の発光が可能な発光部１４１で構成するとともに、出力制御部１７０を、決済制御部１６０から受信した各コマンドに基づいて発光部１４１から出力される光の色を制御するように構成したので、決済処理の結果に応じて発光部１４１から出力される光の色を変えることができる。従って、決済処理の結果を視覚によって確実かつ迅速に知ることができる。
【００３２】
さらに、情報出力部１４０を文字や画像を表示する表示部１４２で構成するとともに、出力制御部１７０を、決済制御部１６０から受信した各コマンドに基づいて表示部１４２から出力される情報を制御するように構成したので、決済処理の結果に応じて表示部１４２から出力される文字や画像を変えることができる。従って、決済処理の結果やＩＣカード１０に記憶された電子マネーの残額を確実に知ることができるとともに、商品やサービス等の情報を提供することにより電子マネーの利用者の購買意欲を向上させることができる。
【００３３】
さらに、情報出力部１４０に音声情報を出力する音声出力部１４３を設けるとともに、出力制御部１７０を、決済制御部１６０から受信した各コマンドに基づいて音声出力部１４３から出力される音声情報を制御するように構成したので、決済処理の結果に応じて音声出力部１４３から出力される音声を変えることができる。従って、決済処理の結果を聴覚によって確実かつ迅速に知ることができる。
【００３４】
（第２の実施形態）
本発明の第２の実施形態に係る電子マネー用リーダライタについて説明する。本実施の形態が第１の実施の形態と異なる点は、図８に示すように、振動を検知する振動センサ１８０を備え、振動センサ１８０を出力制御部１７０に接続している点にある。これにより、リーダライタ１００が受ける振動を検知することができる。他の構成及び動作については第１の実施形態と同様なので、ここでは相違点のみを説明する。
【００３５】
振動センサ１８０は周知のセンサであって、リーダライタ１００の内部に備えられている。振動センサ１８０は、外部からの衝撃等によってリーダライタ１００に生じた振動の加速度や変位を検出し、検出した振動の大きさを電流に変換して出力制御部１７０に出力する。
【００３６】
本実施の形態に係るリーダライタ１００において、図９のシーケンス図を参照して、リーダライタ１００に振動が生じた場合の動作について説明する。振動センサ１８０は、リーダライタ１００が起動すると常にリーダライタ１００に生じる振動を検出する（ステップＳ４１）。そして、振動センサ１８０は、検出した振動の大きさを電流に変換して出力制御部１７０に出力する（ステップＳ４２）。出力制御部１７０は、振動センサ１８０から流れる電流を振動センサ１８０の出力特性に基づいて振動値に換算することにより振動値の測定を行う（ステップＳ４３）。次に、出力制御部１７０は、測定した振動値が予め設定した閾値以上であれば異常と判断して、リーダライタ１００に異常な振動が加えられたことを表す出力情報１３２を情報出力部１４０から出力する（ステップＳ４４）。例えば、図５に示した出力情報１３２のうち、発光部１４１から発光ＩＤ００５の内容を、表示部１４２から表示ＩＤ００６の内容を、音声出力部１４３から音声ＩＤ００３の内容を出力する。なお、出力制御部１７０は、前記ステップＳ４４の処理の後に、決済制御部１６０及び決済端末２００に異常な振動が検出されたことを表す信号を送信してもよい。
【００３７】
このように、本実施形態の電子マネー用リーダライタによれば、振動を検知する振動センサ１８０を備え、出力制御部１７０を、振動センサ１８０によって検知された振動値が予め設定した閾値以上であった場合に、異常な振動が加えられたことを表す出力情報１３２を情報出力部１４０から出力するように構成したので、リーダライタ１００に生じた振動を検知することができる。従って、振動が生じない環境、即ち振動の大きさに基づく出力情報が出力されない環境にリーダライタ１００を配置することが容易となるので、振動に起因するリーダライタ１００の故障を防止することができる。
【００３８】
（第３の実施形態）
本発明の第３の実施形態に係る電子マネー用リーダライタについて説明する。本実施形態が第１及び第２の実施形態と異なる点は、ネットワーク３００に接続された管理サーバ４００との間で出力情報１３２及びエラー情報１３３を送受信する点にある。他の構成及び動作については第１及び第２の実施形態と同様なので、ここでは相違点のみを説明する。
【００３９】
管理サーバ４００は、図１０に示すように、制御部４１０と記憶部４２０等から構成されており、リーダライタ１００とネットワーク３００を介して通信可能となっている。記憶部４２０には出力情報１３２及びエラー情報１３３が記憶されており、制御部４１０は、記憶部４２０に記憶された出力情報１３２の送信要求をリーダライタ１００から受信したときに、公開鍵暗号方式等を用いてリーダライタ１００が正当な端末であることを認証した後に、記憶部４２０に記憶された出力情報１３２をリーダライタ１００に送信する。また、制御部４１０は、任意時にリーダライタ１００から受信したエラー情報１３３を記憶部４２０に記憶する。なお、管理サーバ４００の管理者は、管理サーバ４００に備えられたモニタやキーボード等（共に図示せず）を用いて記憶部４２０に記憶されている出力情報１３２及びエラー情報１３３を参照するとともに、キャンペーン情報や商品又はサービスのＣＭ等の出力情報１３２を更新することが可能である。
【００４０】
本実施形態に係る出力制御部１７０は、通信装置１５０に接続されており、ネットワーク３００を介して管理サーバ４００と通信可能となっている。出力制御部１７０は、任意時に管理サーバ４００に接続して、記憶部４２０に記憶された出力情報１３２のうちリーダライタ１００の記憶部１３０に記憶されていない出力情報１３２を検出し、検出した出力情報１３２に係る送信要求を管理サーバ４００に送信する。また、出力制御部１６０は、任意時に記憶部１３０に記憶されたエラー情報１３３を管理サーバ４００に送信する。
【００４１】
このように、本実施形態の電子マネー用リーダライタによれば、ネットワーク接続用の通信装置１５０を備え、出力制御部１７０を、管理サーバ４００に通信装置１５０を介してエラー情報１３３を送信するように構成したので、エラー情報１３３が通信装置１５０からネットワーク３００を介して管理サーバ４００に送信される。従って、複数のリーダライタ１００を用いる場合には、各リーダライタ１００の動作状況を一括して把握することができる。
【００４２】
さらに、ネットワーク接続用の通信装置１５０を備え、出力制御部１７０を、管理サーバ４００から通信装置１５０を介して出力情報１３２を受信するとともに、出力情報１３２を記憶部１３０に記憶するように構成したので、管理サーバ４００から受信した出力情報１３２を記憶部１３０に記憶することができる。従って、複数のリーダライタ１００を用いる場合には、同一の出力情報１３２を容易に各リーダライタ１００に設定することができる。
【００４３】
なお、上記実施の形態では、ＩＣチップを埋設した非接触通信可能なＩＣカードについて説明したが、このＩＣチップを例えば、携帯電話、腕時計、ＰＤＡ等に搭載してもよい。
【図面の簡単な説明】
【００４４】
【図１】本発明の第１の実施形態に係る電子マネー用リーダライタの機能ブロック図
【図２】ＩＣカードのメモリ構成の一例を示す図
【図３】電子マネー用リーダライタの斜視図
【図４】サービス利用履歴のデータ構造の一例を示す図
【図５】出力情報のデータ構造の一例を示す図
【図６】電子マネー用リーダライタの動作を説明するシーケンス図
【図７】電子マネー用リーダライタの動作を説明するシーケンス図
【図８】本発明の第２の実施形態に係る電子マネー用リーダライタの機能ブロック図
【図９】電子マネー用リーダライタの動作を説明するシーケンス図
【図１０】本発明の第３の実施形態に係る電子マネー用リーダライタの機能ブロック図
【符号の説明】
【００４５】
１０…ＩＣカード、１００…リーダライタ、１３０…記憶部、１３２…出力情報、１３３…エラー情報、１４０…情報出力部、１４１…発光部、１４２…表示部、１４３…音声出力部、１５０…通信装置、１６０…決済制御部、１７０…出力制御部、１８０…振動センサ、２００…決済装置、３００…ネットワーク、４００…管理サーバ。
【図１】
2006318029.tif 000003
【図２】
2006318029.tif 000004
【図３】
2006318029.tif 000005
【図４】
2006318029.tif 000006
【図５】
2006318029.tif 000007
【図６】
2006318029.tif 000008
【図７】
2006318029.tif 000009
【図８】
2006318029.tif 000010
【図９】
2006318029.tif 000011
【図１０】
2006318029.tif 000012